(57)【要約】【課題】  簡単かつ経済的に施工作業することができる既存床の補強方法を提供することである。【解決手段】  既存床の補強方法は、既存床２に束材用貫通孔９を開口するとともに、この束材用貫通孔９を挟んだ直線箇所に張弦材用貫通孔２５を開口した後、これらの張弦材用貫通孔２５からガイドロープ２９の先端部を床下に通し、ここから束材用貫通孔９を通って床上に通した後、これらのガイドロープ２９の先端部を個別に、束材３の先端部に接続された複数の張弦材４の端部に結束するとともに、ガイドロープ２９が結束された束材３を束材用貫通孔９に挿入して床下面に突設した後、張弦材用貫通孔２５からガイドロープ２９の後端側を引いて張弦材４の端部を張弦材用貫通孔２５まで引き上げて固定した後、前記束材３を下側に突出させて張弦材４に張力を与えることである。【選択図】図１
2006219943.tif 000002
【特許請求の範囲】
【請求項１】
既存床に束材用貫通孔を開口するとともに、この束材用貫通孔を挟んだ直線箇所に張弦材用貫通孔を開口した後、これらの張弦材用貫通孔からガイドロープの先端部を床下に通し、ここから束材用貫通孔を通って床上に通した後、これらのガイドロープの先端部を個別に、束材の先端部に接続された複数の張弦材の端部に結束するとともに、ガイドロープが結束された束材を束材用貫通孔に挿入して床下面に突設した後、張弦材用貫通孔からガイドロープの後端側を引いて張弦材の端部を張弦材用貫通孔まで引き上げて固定した後、前記束材を下側に突出させて張弦材に張力を与えることを特徴とする既存床の補強方法。
【請求項２】
張弦材の端部は定着具によって張弦材用貫通孔に固定されることを特徴とする請求項１に記載の既存床の補強方法。
【発明の詳細な説明】
【技術分野】
【０００１】
本願発明は既存床の補強方法に関するものである。
【背景技術】
【０００２】
従来、既存床の補強方法は、図１０に示すように、床下に鉄板３３を設置する方法、床下にコンクリート３４を増打ちする方法、床下にＨ形鋼３５を設置する方法および床下から支柱３６で支持する方法などがある。また、その他の既存床の補強方法として、例えば特願平１１−２９９８３号の発明が知られている。
【０００３】
【特許文献１】特願平１１−２９９８３号公報
【発明の開示】
【発明が解決しようとする課題】
【０００４】
しかし、上記の既存床の補強方法は、いずれも補強が大掛かりとなって、工期と工費が嵩むという問題があった。また上記の方法は、全て床下面から施工するため、下階からの仮設足場が必要となって、施工中に下階が使用できないという問題の他、施工部分の天井の撤去および復旧が必要となるという問題もあった。
【０００５】
本願発明はこれらの問題に鑑みてなされたものであり、その目的は、簡単かつ経済的に施工作業することができる既存床の補強方法を提供することである。
【課題を解決するための手段】
【０００６】
以上の課題を解決するための既存床の補強方法は、既存床に束材用貫通孔を開口するとともに、この束材用貫通孔を挟んだ直線箇所に張弦材用貫通孔を開口した後、これらの張弦材用貫通孔からガイドロープの先端部を床下に通し、ここから束材用貫通孔を通って床上に通した後、これらのガイドロープの先端部を個別に、束材の先端部に接続された複数の張弦材の端部に結束するとともに、ガイドロープが結束された束材を束材用貫通孔に挿入して床下面に突設した後、張弦材用貫通孔からガイドロープの後端側を引いて張弦材の端部を張弦材用貫通孔まで引き上げて固定した後、前記束材を下側に突出させて張弦材に張力を与えることを特徴とする。また張弦材の端部は定着具によって張弦材用貫通孔に固定されることを含むものである。
【発明の効果】
【０００７】
従来よりも簡単かつ経済的な補強方法にすることができる。また補強する既存床の補強施工が床上からできるので、施工中でも下階の使用ができるとともに、天井を撤去することことなく施工をすることができる。また既存床に対する荷重増や床のたわみ制御に対しても対応することができる。
【発明を実施するための最良の形態】
【０００８】
以下、本願発明の既存床の補強方法の実施の形態を図面に基づいて説明する。まず既存床の補強構造について説明した後、既存床の補強方法の実施の形態について説明する。また各実施の形態において同じ構成は同じ符号を付して説明し、異なった構成にのみ異なった符号を付して説明する。
【０００９】
図１は本願発明の補強方法により補強した既存床の補強構造１を示したものであり、既存床２の下面に束材３を突設し、この束材３の先端と床下面とにわたって張った張弦材４の張力で既存床２を補強するとともに、既存床２に上側へのむくりを与えている。
【００１０】
既存床２の下面に突設した束材３は、図２に示すように、円形の外管５とこの外管５の軸芯位置に設置された芯材（鋼棒、ＰＣ鋼棒または鉄筋などからなる）６とからなり、該芯材６が底蓋７にネジ８で回転自在に設置されている。この芯材６の上端部は束材用貫通孔９の段部１０に設置した座金１１にナット１２で接合され、該座金１１と外管上部の固定金具１３とがボルト１４で接合されて、芯材６の回転による外管５の供回りを防ぐとともに、束材用貫通孔９と外管５とにモルタルなどのグラウト材１５が充填されている。
【００１１】
この固定金具１３は、図３に示すように、Ｌ形金物１６に三角リブ１７が設置されてなり、該三角リブ１７が外管上部のスリット１８に挿入されて前後に移動できるようになっている（図８の（１）参照）。
【００１２】
一方、底蓋７から突出した芯材６の先端部には、芯材６の回転に対しても回転しない反力具１９が設置され、この反力具１９にリング金物２０で二本の張弦材４の一端部が接続され、該張弦材４の他端部がリング金物２０で定着金物２１の三角リブ２３に接続されている。
【００１３】
この定着金物２１は、図４に示すように、床と壁との隅部に設置された角形金物２２に三角リブ２３が設置されて形成され、角形金物２２のボルト２４が張弦材用貫通孔２５の段部２６における座金２７にナット２８で接合され、張弦材用貫通孔２５にはモルタルなどのグラウト材１５が充填されている。
【００１４】
また図５の（１）は、張弦材４を二方向に交差して張った既存床の補強構造１であり、図５の（２）は束材３を床中央部ではなく、床端部にずらして張弦材４を張ったものである。図５の（１）の補強構造１は床中央部に大きな荷重が作用する場合に適用し、図５の（２）の場合は床端部に大きな荷重が作用する場合に適用するものであり、いずれも上記と同じ構成で、かつ同じ効果を奏するものである。このように張弦材４の本数や長さは必要に応じて任意に変えることができる。
【００１５】
次に、既存床の補強方法を図６〜図９に基づいて説明する。この補強方法は、上記の補強構造１のように床中央部の下面に束材３を設置し、この先端部と床下面端部とにわたって張った張弦材４の張力で既存床２を補強するとともに、該既存床２に上側へのむくりを与えるものであり、これらの施工作業は床上から行われる。
【００１６】
はじめに、床中央部に束材用貫通孔９を開口するとともに、該束材用貫通孔９の直線位置における床端部に二つの張弦材用貫通孔２５を開口する。この張弦材用貫通孔２５は束材用貫通孔９を挟んだ位置に開口されている。
【００１７】
次に、図６に示すように、芯材６の先端に接続した張弦材４を外管に巻き付け、該張弦材４の他端部に定着金物２１を取り付ける。そして、ガイドロープ２９の先端部を張弦材用貫通孔２５から床下に通し、ここから束材用貫通孔９を通って床上に通すとともに、このうちの一本を一方の張弦材４の定着金物２１に、また他の一本を他方の張弦材４の定着金物２１にそれぞれ結び付ける。
【００１８】
次に、図７に示すように、張弦材４を巻き付けた束材３を床上から束材用貫通孔９に挿入し、かつ回転させることによって張弦材４の巻き付けを解くとともに、二本のガイドロープ２９の先端部を床上から上側に引き上げる。この引き上げによって定着金具２１のボルト２４を張弦材用貫通孔２５に挿入し、該張弦材用貫通孔２５の段部２６に設置した座金２７にナット２８で固定するとともに、張弦材用貫通孔２５にモルタルなどのグラウト材１５を充填する。
【００１９】
そして、図８の（１）に示すように、この束材３の束材用貫通孔９への挿入により、固定金具１３は三角リブ１７をガイドとしてスリット１８を移動し、上部が芯材６に当たるまで内側に傾いて外管５内に収納されて、束材用貫通孔９への外管５の挿入を可能にする。
【００２０】
次に、図８の（２）に示すように、固定金具１３を元の状態、すなわち垂直に戻して座金１１にボルト１４で固定し、芯材６の回転による外管５の供回りを防ぐようにする。このボルト１４は座金１１からボルト挿入孔３０に挿入して固定金具１３にねじ込む。
【００２１】
次に、図９に示すように、回転操作具３１で芯材６を回転させて下側に伸ばすことにより、張弦材４に所定の張力を与えて既存床２を補強するとともに、上側へのむくりを与える。そして、芯材６の上端部を座金１１にナット１２で固定するとともに、外管５および束材用貫通孔９にモルタルなどのグラウト材１５を充填して、既存床の補強構造１を完成させる。
【００２２】
また、上記の図５に示す既存床の補強構造１も上記と同じ方法で補強するものであり、同じ効果を奏するものである。
【図面の簡単な説明】
【００２３】
【図１】既存床の補強構造を示し、（１）は平面図、（２）は断面図である。
【図２】（１）は束材の断面図、（２）は（１）の底面図である。
【図３】（１）は図２のＡ−Ａ線断面図、（２）は同Ｂ−Ｂ線断面図である。
【図４】（１）は固定金具の断面図、（２）は（１）のＣ−Ｃ線断面図である。
【図５】（１）は他の既存床の補強構造の斜視図、（２）は他の既存床の補強構造の断面図である。
【図６】既存床の補強方法であり、ガイドロープを束材用貫通孔と張弦材用貫通孔とに通した断面図である。
【図７】既存床の補強方法であり、束材を束材用貫通孔に挿入した断面図である。
【図８】（１）は定着金具が傾いた断面図、（２）は定着金具が元に戻った断面図、（３）は（２）の平面図、（４）は束材の上部断面図である。
【図９】既存床の補強方法であり、束材を既存床の下面に設置した断面図である。
【図１０】従来の既存床の補強構造の断面図である。
【符号の説明】
【００２４】
１  既存床の補強構造
２  既存床
３  束材
４  張弦材
５  外管
６  芯材
７  底蓋
８  ネジ
９  束材用貫通孔
１０、２６  段部
１１、２７  座金
１２、２８  ナット
１３  固定金具
１４、２４  ボルト
１５  グラウト材
１６  Ｌ形金物
１７、２３  三角リブ
１８  スリット
１９  反力具
２０  リング金物
２１  定着金物
２２  角形金物
２５  張弦材用貫通孔
２９  ガイドロープ
３０  ボルト挿入孔
３１  回転操作具
３３  鉄板
３４  コンクリート
３５  Ｈ形鋼
３６  支柱
【図１】
2006219943.tif 000003
【図２】
2006219943.tif 000004
【図３】
2006219943.tif 000005
【図４】
2006219943.tif 000006
【図５】
2006219943.tif 000007
【図６】
2006219943.tif 000008
【図７】
2006219943.tif 000009
【図８】
2006219943.tif 000010
【図９】
2006219943.tif 000011
【図１０】
2006219943.tif 000012